(57)【特許請求の範囲】
【請求項１】
落石の衝撃を吸収するための面状の吸収体と、
長尺材の上端と下端付近に、中心軸の横断方向に貫通したガイド孔を開口したガイド支柱と、
面状吸収体の上縁と下縁に取り付けた吸収体支持ワイヤと、
一端を、一定の引張り力でスライドする制動装置を介して地上に固定し、他端を、前記支柱の上端と下端付近のガイド孔に挿通させた複数のスライドワイヤとで構成し、
一連の面状吸収体は、少なくとも３本以上の支柱の間隔よりも長い幅のものとして一体に形成し、
前記支柱の上端と下端付近のガイド孔に挿通させた一対のスライドワイヤの一端を制動装置に固定し、
吸収体支持ワイヤを複数本の支柱で支持するに際し、
前記支柱の上端と下端付近のガイド孔に挿通させた一対のスライドワイヤの他端を、一連の連続した面状吸収体の上縁と下縁の各吸収体支持ワイヤに連結し、
一連の連続した面状吸収体の中間点を、前記面状吸収体の上縁と下縁の吸収体支持ワイヤを介して、前記支柱の上端と下端付近のガイド孔に挿通させたスライドワイヤによって支持して構成し、
受撃時に前記一連の連続した面状吸収体の全体がスライドワイヤのスライド抵抗を受けながら谷側に後退する、
落石吸収装置。
【請求項２】
面状の吸収体は、多数の環状部材を相互にからめて形成した、請求項１記載の、落石吸収装置。
【請求項３】
制動装置は、２枚の鋼板の間にワイヤを挟持し、２枚の鋼板に相互に接近する力を与えて構成した、請求項１記載の、落石吸収装置。
【発明の詳細な説明】
【０００１】
【発明の属する技術分野】
本発明は、岩石などの落下のエネルギーを吸収する装置に関するものである。
【０００２】
【従来の技術】
斜面からの落石のエネルギーを吸収してその後の被害を防ぐために各種の装置が開発されている。
例えば図８に示すように、斜面に設置した２本の支柱ｃの間を支持ロープａで連結し、衝撃を吸収する面状吸収体ｂは、支持ロープａによって支持して支柱ｃ間に直接取り付ける構造が知られている。支柱ｃと地表面とはブレーキ装置ｄ付きの控えワイヤｅで連結してある。
この構造は、面状吸収体ｂの端部は支柱ｃに直接取り付けてある。
そのために、落石が発生して面状吸収体ｂに衝突した場合に、該当する吸収体ｂだけが大きく谷側に後退する。
その後に該当する吸収体ｂを固定した支柱ｃが傾斜し、この支柱ｃの傾斜が控えワイヤｅを谷側へ引き出し、控えワイヤｅに設けたブレーキ装置ｄの拘束力で支柱ｃの傾斜を拘束する構造である。
すなわち、落下のエネルギーは、支柱ｃの傾斜を介して吸収するメカニズムを採用している。
【０００３】
【本発明が解決しようとする課題】
前記したような従来の落石吸収装置にあっては、次のような問題点がある。
＜イ＞面状吸収体ｂの両端は、両側の支柱ｃに固定してあり、隣接するスパンの面状吸収体ｂもまた、その両端を両側の支柱ｃに固定した、相互に独立した構造である。
＜ロ＞そのために岩石の落下時には、まず岩石を受け止めた面状吸収体ｂのみが、隣接する面状吸収体ｂとは独立して後退する。そのために面状吸収体ｂの上下の間隔、すなわち上下の幅が縮小する。
＜ハ＞その結果、図８に示すように、面状吸収体ｂの下縁と、地面との距離が大きく離れることになる。
＜ニ＞岩石などが落下した場合には１個だけに限らず、その後続いて大小の岩石が落下してくる場合が多い。
その場合に、図８に示すように、面状吸収体ｂの下縁と地面との距離が離れていると、後続する岩石ｆなどがその間隔を潜って通過してしまい、斜面の下の道路や民家などに被害を与える可能性がある。
＜ホ＞落石のエネルギーによって支柱ｃが谷側に倒れる。この支柱ｃの倒れを、控えワイヤｅによって抑えることでエネルギーを吸収する方法である。
したがって支柱ｃの基礎は、確実な支点として作用させる必要があり、強固な構造が要求されるが、足場の悪い斜面での基礎の工事はきわめて能率が悪く、危険でもある。
＜ヘ＞落下のエネルギーによって支柱ｃが谷側へ倒れるから、支柱ｃの上部へ当たった落石は回転運動によって支柱を駆け上ってしまい、谷側へ落下しやすい。
【０００４】
【発明の目的】
本発明は上記したような従来の問題を解決するためになされたもので、落石が発生しても面状吸収体の下縁と地表面との距離の変化が少なく、後続する落石を正確に捕獲してエネルギーを吸収することができる、落石吸収装置を提供することを目的とする。
【０００５】
【課題を解決するための手段】
上記のような目的を達成するために、本発明の落石吸収装置は、落石の衝撃を吸収するための面状の吸収体と、長尺材の上端と下端付近に、中心軸の横断方向に貫通したガイド孔を開口したガイド支柱と、面状吸収体の上縁と下縁に取り付けた吸収体支持ワイヤと、一端を、一定の引張り力でスライドする制動装置を介して地上に固定し、他端を、前記支柱の上端と下端付近のガイド孔に挿通させた複数のスライドワイヤとで構成し、一連の面状吸収体は、少なくとも３本以上の支柱の間隔よりも長い幅のものとして一体に形成し、前記支柱の上端と下端付近のガイド孔に挿通させた一対のスライドワイヤの一端を制動装置に固定し、吸収体支持ワイヤを複数本の支柱で支持するに際し、前記支柱の上端と下端付近のガイド孔に挿通させた一対のスライドワイヤの他端を、一連の連続した面状吸収体の上縁と下縁の各吸収体支持ワイヤに連結し、一連の連続した面状吸収体の中間点を、前記面状吸収体の上縁と下縁の吸収体支持ワイヤを介して、前記支柱の上端と下端付近のガイド孔に挿通させたスライドワイヤによって支持して構成し、
受撃時に前記一連の連続した面状吸収体の全体がスライドワイヤのスライド抵抗を受けながら谷側に後退する、落石吸収装置を特徴としたものである。
【０００６】
さらに本発明の落石吸収装置は、面状の吸収体が、多数の環状部材を相互にからめて形成した、落石吸収装置を特徴としたものである。
【０００７】
【本発明の実施の態様】
以下図面を参照しながら本発明の落石吸収装置と吸収方法の実施例について説明する。
【０００８】
＜イ＞面状吸収体。
落石の落下のエネルギーを吸収するために、面状の吸収体１を使用する。
この面状吸収体１の幅は、２本の支柱の間の幅に等しく構成する。
あるいは、２本の支柱２間の幅ではなく、少なくとも３本以上の支柱２の間隔よりも長い幅に設定する。
面状の吸収体１としては、一般には金網が知られている。
その他、図７に示すような、多数の環状部材１１を相互にからめて面状吸収体１を形成することもできる。
その場合には多数の環状部材１１は相互に密着することなく、一定の間隔を介してからまっているから、落石を吸収する機能が高い。
【０００９】
＜ロ＞ガイド支柱２。
ガイド支柱２は、角パイプ、円形パイプなどのような、長尺材で構成する。
ただし本発明の装置に使用するガイド支柱２は、その上端と下端付近に、中心軸の横断方向に貫通したガイド孔２１を開口する。
この貫通ガイド孔２１に後述するスライドワイヤ３を貫通させ、落下のエネルギーを吸収する際には、スライドワイヤ３をスライドさせる構造である。
【００１０】
＜ハ＞吸収体支持ワイヤ４。
一連の面状吸収体１の上縁、および下縁は、水平方向張り渡す、吸収体支持ワイヤ４に取り付けて支持させる。
面状吸収体１の幅を、少なくとも３本のガイド支柱２の間隔よりも長い幅に設定した場合には、吸収体支持ワイヤ４の長さも、少なくとも３本のガイド支柱２の間隔よりも長く形成する。
ワイヤ４は、接続継手で連続すればいくらでも延長することができる。
【００１１】
＜ニ＞スライドワイヤ３。
地上と、面状吸収体１の支持ワイヤ４とは、スライドワイヤ３で連結する。
このスライドワイヤ３は、後述するように、面状吸収体１に落石のエネルギーが作用した場合に、そのエネルギーによって谷側へスライドする機能を果たす。
したがって、従来の構造のような、単に支柱２を支持するための控えのワイヤとはその機能をまったく異にする。
【００１２】
＜ホ＞制動装置５。
このスライドワイヤ３の一端は、地上に固定した制動装置５に取り付ける。
この制動装置５は、２枚の鋼板５１の間にワイヤを挟持し、２枚の鋼板５１に相互に接近する力を与えて構成する。
例えばバネ機能を備えたような薄く弾性の大きいバネ鋼板５１と基盤５２とをボルト５３で接合し、その２枚の鋼板５１、５２の間にスライドワイヤ３と挟んでおけば、スライドワイヤ３に一定以上の引張り力が作用した場合のみスライドワイヤ３がスライドする機構を達成することができる。
この制動装置５自体は地上に固定してあり、移動することがない。
スライドワイヤ３を直接に制動装置５で拘束することもできるが、図４の実施例に示すようにスライドワイヤ３の端にリングを形成し、このリングを貫通してＵ字状に折り返した拘束ワイヤ５３の両端を制動装置５の基盤５２の裏表両面で拘束することも可能である。
【００１３】
＜ヘ＞吸収体のスライドワイヤ３による支持。
一連の面状吸収体１を３本以上の支柱２で支持するには、まずスライドワイヤ３の他端を支柱２のガイド孔を貫通させる。
そして、支柱２のガイド孔を貫通させたこのスライドワイヤ３の端と、吸収体支持ワイヤ４の中間とを固定する。
このように、本発明の装置では、面状吸収体１は支柱２間で独立しているものでなく、かつ支柱２で支持するのではない。
複数の支柱２間に渡る一連の連続した面状吸収体１の中間を、吸収体支持ワイヤ４を介してスライドワイヤ３によって支持するものである。
なお実際には施工中、その後の支柱２の転倒を防止するための控えのワイヤを配置するが、図では発明の要旨を明確にするために省略している。
【００１４】
＜ト＞エネルギーを吸収するメカニズム。
落石が発生すると、ある支柱２間の面状吸収体１に飛び込む。
面状吸収体１は前記したように複数の支柱２にわたる一連の幅を備えており、かつ支柱２に固定していない。そのために１スパンの面状吸収体１に落石が飛び込んでも、隣接するスパン、その次のスパンの連続する吸収体１が谷側に押し出そうとする。
そのエネルギーによって、それまで弛んでいたスライドワイヤ３は、直線になるまで谷側へスライドする。
その後、スライドワイヤ３は制動装置５の抵抗に抗して一定の距離までスライドするので、この際の制動抵抗が落下のエネルギーを吸収する。
すなわち本発明の装置は、長い幅の面状吸収体１が、スライドワイヤ３のスライドの抵抗を受けながら、全体で谷側に後退することによって、全体でエネルギーを吸収する機能を果たすものである。
【００１５】
＜チ＞上下のスライドワイヤのスライド。
落下のエネルギーによって上のスライドワイヤ３が延びると同時に下のスライドワイヤ３が弛む。そのために、面状吸収体１に衝突した落石は、下方へ誘導されることになり、落石の回転によって面状吸収体１を乗り越えて谷側へ飛び出すことを防止できる。
【００１６】
＜リ＞面状吸収体１の変形。
上記のように、本発明の装置の面状吸収体１は、落石を受け止めた１スパンだけが独立して変形するのではなく、長い一連の吸収体の全体でエネルギーを吸収する構造である。
そのために従来の構造のように、１スパンの面状吸収体１だけが大きく変形することがないから、面状吸収体１の下縁と、地表面との間隔が大きく開くことがない。
したがって、後続する落石を取り逃がすことがなく、確実に捕獲することができ、斜面の下方の道路や民家に落石が転がり出る心配がまったくない。
【００１７】
【本発明の効果】
本発明の落石吸収装置と吸収方法は以上説明したように面状吸収体を支持するスライドワイヤの谷側へのスライドによって、吸収体が受けるエネルギーを吸収する構造である。
＜イ＞そのために従来の構造のように、１スパンの面状吸収体１だけが大きく変形することがなく、面状吸収体１の下縁と、地表面との間隔が大きく開くことがない。
したがって、後続する落石を取り逃がすことがなく、確実に捕獲して、斜面の下方の道路や民家に落石が転がり出る心配がまったくない。
＜ロ＞支柱２はスライドワイヤ３のスライド状態を支持するだけで、落石のエネルギーを直接に受ける構造ではないから、簡易な構造の物を利用することができる。
＜ハ＞面状吸収体は、落石を受け入れるスパンの隣接するスパンのみならず、さらにその外側のスパンも谷側に押し出される。その上、スライドワイヤの長さ次第で押し出し量に制限がない。
そのためにきわめて大きいエネルギーを有する落石も、確実に捕獲して停止させることができる。
＜ニ＞従来の類似の装置のように落石のエネルギーを支柱を介して吸収するメカニズムではない。
そのためにたとえ落石が直接支柱に衝突して支柱が破損しても、面状吸収体の押し出し量が増加するだけで、エネルギー吸収能力の低下は生じない。
【図面の簡単な説明】
【図１】本発明の落石吸収装置と吸収方法に落石が生じた場合の実施例の説明図。
【図２】落石が生じる前の状態の説明図。
【図３】支柱とスライドワイヤと支持ワイヤの取り付け状態の説明図。
【図４】スライドワイヤの端部に取り付ける制動装置の実施例の説明図。
【図５】落石発生前の状態の説明図。
【図６】落石発生後の状態の説明図。
【図７】面状吸収体の実施例の説明図。
【図８】従来の落石吸収装置と吸収方法の問題点の説明図。
【図１】
0004560223.tif 000002
【図２】
0004560223.tif 000003
【図３】
0004560223.tif 000004
【図４】
0004560223.tif 000005
【図５】
0004560223.tif 000006
【図６】
0004560223.tif 000007
【図７】
0004560223.tif 000008
【図８】
0004560223.tif 000009